(57)【要約】      （修正有）【課題】カップ本体の表側凸曲面に凹凸模様を形成することで、立体的装飾性に優れた衣類用カップを提供する。【解決手段】バストを覆う衣類用カップであって、発泡ウレタン、表生地７及び肌生地を有するカップ本体１と、複数本の装飾凹溝２〜５を備える。カップ本体１は、表生地７、発泡ウレタン及び肌生地を膨出して、表側凸曲面９及び肌側凹曲面を有する椀状に形成される。各装飾凹溝２〜５は、表側凸曲面９に沿って形成される。各装飾凹溝２〜５は、表生地及び発泡ウレタンを肌生地側に凹ませて、表側凸曲面９に凹凸模様を形成する。【選択図】図１
0003200051.tif 000002
【実用新案登録請求の範囲】
【請求項１】
衣類に支持され、バストを覆う衣類用カップであって、
発泡ウレタン、前記発泡ウレタン表面を被覆して前記発泡ウレタンに一体とされる伸縮性の表生地、前記発泡ウレタン裏面を被覆して前記発泡ウレタンに一体とされ、前記バストに接触される肌生地を有するカップ本体と、
前記カップ本体に形成される装飾凹溝と、
を備え、
前記カップ本体は、
前記表生地、前記発泡ウレタン及び前記肌生地を膨出して、表側凸曲面及び肌側曲面を有する椀状に形成され、
前記装飾凹溝は、
前記表側凸曲面に沿って形成され、
前記表生地及び前記発泡ウレタンを前記肌生地側に凹ませて、前記表側凸曲面に凹凸模様を形成する
ことを特徴とする衣類用カップ。
【請求項２】
請求項１に記載の衣類用カップを成形するカップ成形金型であって、
前記表側凸曲面を形成する、成形凹曲面を有する雌金型と、
前記肌側凹曲面を形成する、成形凸曲面を有する雄金型と、
前記装飾凹溝を形成する、成形突条と、
を備え、
前記成形突条は、
突条高及び突条幅を有して、前記成形凹曲面に沿った湾曲状に形成され、
前記成形凹曲面に沿って配置され、及び前記成形凹曲面に対して取外し自在に固定される
ことを特徴とするカップ成形金型。
【請求項３】
前記雌金型は、
位置決め線を有し、
前記位置決め線は、
前記装飾凹溝を形成する位置において、前記成形凹曲面に描かれ、
前記成形突条は、
前記成形凹曲面において、前記位置決め線に沿って配置される
ことを特徴とする請求項２に記載のカップ成形金型。
【考案の詳細な説明】
【技術分野】
【０００１】
本考案は、ブラジャー等の衣類に支持され、バスト（乳房）を覆う衣類用カップ、及び衣類用カップを成形するカップ成形金型に関する。
【背景技術】
【０００２】
カップ部を有する衣類として、特許文献１は、ブラジャーを開示する。特許文献１は、カップ部を各土台布に縫製等して、ブラジャーに支持する。特許文献１のブラジャーは、立体レース生地をカップ部表面に装着して、装飾効果を高めている。立体レース生地は、第１及び第２レース素材で構成され、各レース素材の第１及び第２切断部を縫合することで、各レース素材をカップ部に沿った立体形状にする。
【先行技術文献】
【特許文献】
【０００３】
【特許文献１】特開２００２−２７５７０８号公報
【考案の概要】
【考案が解決しようとする課題】
【０００４】
特許文献１のブラジャーは、立体レースにて装飾効果を発揮するものの、各レース素材に施された模様は平面的な装飾となる。
【０００５】
本考案は、カップ本体の表側凸曲面に凹凸模様を形成することで、立体的装飾性に優れた衣類用カップ、及び衣類用カップを成形するカップ成形金型を提供することにある。
【課題を解決するための手段】
【０００６】
本考案に係る請求項１は、衣類に支持され、バストを覆う衣類用カップであって、発泡ウレタン、前記発泡ウレタンの表面を被覆して前記発泡ウレタンに一体とされる伸縮性の表生地、及び前記発泡ウレタンの裏面を被覆して前記発泡ウレタンに一体とされ、バストに接触される肌生地を有するカップ本体と、前記カップ本体に形成される装飾凹溝と、を備え、前記カップ本体は、前記表生地、前記発泡ウレタン及び前記肌生地を膨出して、表側凸曲面及び肌側凹曲面を有する椀状に形成され、前記装飾凹溝は、前記表側凸曲面に沿って形成され、前記表生地及び前記発泡ウレタンを前記肌生地側に凹ませて、前記表側凸曲面に凹凸模様を形成することを特徴とする衣類用カップである。
本考案に係る請求項１では、カップ本体は、カップトップからカップ周縁に向けて、カップ厚（ウレタン厚）を漸次変化させる構成も採用できる。請求項１では、装飾凹溝は、溝深及び溝幅を、カップ本体のカップ厚（ウレタン厚）に応じて漸次変化させる構成も採用できる。また、請求項１では、装飾凹溝において、溝深は、カップ厚（ウレタン厚）の肉厚部分で深くし、カップ厚（ウレタン厚）の肉薄部分で浅くし、及び溝幅は、カップ厚（ウレタン厚）の肉厚部分で広くし、カップ厚（ウレタン厚）の肉薄部分で狭くする構成も採用できる。更に、請求項１では、カップ本体は、カップ周縁、表側凸曲面及び１又は複数本の装飾凹溝で形成される凹凸模様により、デザイン性を有する立体的な図形（立体的装飾）に形成する構成も採用できる。
【０００７】
本考案に係る請求項２は、請求項１に記載の衣類用カップを成形するカップ成形金型であって、前記表側凸曲面を形成する、成形凹曲面を有する雌金型と、前記肌側凹曲面を形成する、成形凸曲面を有する雄金型と、前記装飾凹溝を形成する成形突条と、を備え、前記成形突条は、突条高及び突条幅を有して、前記成形凹曲面に沿った湾曲状に形成され、前記成形凹曲面に沿って配置され、及び前記成形凹曲面に対して取外し自在に固定されることを特徴とするカップ成形金型である。
本考案に係る請求項２では、成形突条は、突条高及び突条幅を、カップ本体のカップ厚（ウレタン厚）に応じて漸次変化させる構成も採用できる。また、請求項２では、成形突条において、突条高は、カップ厚（ウレタン厚）の肉厚部分で高くし、カップ厚（ウレタン厚）の肉薄部分で低くし、及び突条幅は、カップ厚（ウレタン厚）の肉厚部分で広くし、及びカップ厚（ウレタン厚）の肉薄部分で狭くする構成も採用できる。
【０００８】
本考案に係る請求項３は、前記雌金型は、位置決め線を有し、前記位置決め線は、前記装飾凹溝を形成する位置において、前記成形凹曲面に描かれ、前記成形突条は、前記成形凹曲面において、前記位置決め線に沿って配置されることを特徴とする請求項２に記載のカップ成形金型である。
【考案の効果】
【０００９】
本考案に係る請求項１によれば、装飾凹溝は、表生地及び発泡ウレタンを肌生地側に凹ませて形成されるので、装飾凹溝の両側部分において、表生地及び発泡ウレタンは、カップ厚方向に隆起される。装飾凹溝を表側凸曲面に沿って形成することで、装飾凹溝の両側部分も表側凸曲面に沿って隆起する。これにより、衣類用カップは、カップ本体の表側凸曲面に凹凸模様を形成でき、立体的装飾性に優れたものとなる。
【００１０】
本考案に係る請求項２によれば、雌金型及び雄金型にて、カップ本体を成形すると同時に、成形突条にて装飾凹溝をカップ本体の表側凸曲面に成形できる。成形時、成形突条は、表生地及び発泡ウレタンを肌生地側に圧縮し、及び凹ませて、装飾凹溝を形成する。
これにより、カップ本体に対して、表側凸曲面、肌側凹曲面及び凹凸模様（装飾凹溝）を同時に形成でき、生産性に優れ、及び立体的装飾性の優れた衣類用カップを提供できる。
請求項２では、成形突条を成形凹曲面から取外し、突条高及び突条幅を調整して、再度、成形凹曲面に取付けて固定できる。
これにより、成形突条の突条高及び突条幅を調整することで、装飾凹溝の溝深及び溝幅を所望の溝深及び溝幅にできる。
【００１１】
本考案に係る請求項３は、成形突条を位置決め線に沿って配置することで、成形突条は、装飾凹溝を形成する位置に位置決めできる。
また、突条高及び突条幅を調整するため、成形突条を成形凹曲面から取外しても、調整した成形突条を位置決め線に沿って配置することで、調整した成形突条は、再度、装飾凹溝を成形する位置に位置決めできる。
【図面の簡単な説明】
【００１２】
【図１】第１実施形態の衣類用カップ（左側・衣類用カップ）を示す表面図である。
【図２】第１実施形態の衣類用カップ（左側・衣類用カップ）を示す下端側斜視図である。
【図３】第１実施形態の衣類用カップ（左側・衣類用カップ）を示す斜視図である。
【図４】第１実施形態の衣類用カップ（左側・衣類用カップ）を示す裏面図である。
【図５】第１実施形態の衣類用カップ（右側・衣類用カップ）を示す表面図である。
【図６】（ａ）は図１のＡ−Ａ断面拡大図、（ｂ）は図１のＢ−Ｂ断面拡大図である。
【図７】（ａ）は溝底面トップにおける装飾凹溝の断面図、（ｂ）は中間点（厚肉部分）における装飾凹溝の断面図、（ｃ）は下端縁側及び上端縁側における装飾凹溝の断面図である。
【図８】第１実施形態の衣類用カップ、及びブラジャーを示す表面図である。
【図９】第１実施形態の衣類用カップ、及びブラジャーを示す裏面図である。
【図１０】第２実施形態の衣類用カップ（左側・衣類用カップ）を示す表面図である。
【図１１】第２実施形態の衣類用カップ（左側・衣類用カップ）を示す下端側斜視図である。
【図１２】第２実施形態の衣類用カップ（左側・衣類用カップ）を示す斜視図である。
【図１３】第２実施形態の衣類用カップ（左側・衣類用カップ）を示す裏面図である。
【図１４】第２実施形態の衣類用カップ（右側・衣類用カップ）を示す表面図である。
【図１５】（ａ）は図１０のＣ−Ｃ断面図、（ｂ）は図１のＤ−Ｄ断面図である。
【図１６】（ａ）は溝底面トップにおける装飾凹溝の断面図、（ｂ）は中間点（バスト保形部分）における装飾凹溝の断面図、（ｃ）は下端縁側及び上端縁側における装飾凹溝の断面図である。
【図１７】第２実施形態の衣類用カップ、及びブラジャーを示す表面図である。
【図１８】第２実施形態の衣類用カップ、及びブラジャーを示す裏面図である。
【図１９】第１実施形態のカップ成形金型であって、雌金型及び複数本の成形突条を示す表面図である。
【図２０】第１実施形態のカップ成形金型であって、雌金型及び複数本の成形突条を示す斜視図である。
【図２１】図１９のＥ−Ｅ断面図である。
【図２２】第１実施形成のカップ成形金型であって、雌金型、周縁曲線及び複数本の位置決め線を示す表面図である。
【図２３】第１実施形態のカップ成形金型において、成形突条を示す斜視図である。
【図２４】第１実施形態のカップ成形金型において、成形突条を示す斜視図である。
【図２５】第１実施形態のカップ成形金型であって、雄金型を示す表面図である。
【図２６】第１実施形態のカップ成形金型であって、雄金型を示す斜視図である。
【図２７】図２５のＦ−Ｆ断面図である。
【図２８】第１実施形態のカップ成形金型を使用して衣類用カップの成形する状態を示す図であって、（ａ）は雌金型及び雄金型間に被成形平板を配置した状態を示す面図、（ｂ）は雌金型及び雄金型にて被成形平板を成形した状態を示す断面図である。
【図２９】被成形平板に各衣類用カップ（カップ本体）を成形した状態を示す図であって、（ａ）は表面図、（ｂ）は図２９（ａ）のＧ−Ｇ断面図である。
【図３０】第２実施形態のカップ成形金型であって、雌金型及び複数本の成形突条を示す表面図である。
【図３１】第２実施形態のカップ成形金型であって、雌金型及び複数本の成形突条を示す斜視図である。
【図３２】図３０のＨ−Ｈ断面図である。
【図３３】第２実施形態のカップ成形金型であって、雌金型、周縁曲線及び複数本の位置決め線を示す表面図である。
【図３４】第２実施形態のカップ成形金型において、成形突条を示す斜視図である。
【図３５】第２実施形態のカップ成形金型において、成形突条を示す斜視図である。
【図３６】第２実施形態のカップ成形金型であって、雄金型を示す表面図である。
【図３７】第２実施形態のカップ成形金型であって、雄金型を示す斜視図である。
【図３８】図３６のＩ−Ｉ断面図である。
【図３９】第２実施形態のカップ成形金型を使用して衣類用カップを成形する状態を示す図であって、（ａ）は雌金型及び雄金型間に被成形平板を配置した状態を示す断面図、（ｂ）は雌金型及び雄金型にて被成形平板を成形した状態を示す断面図である。
【図４０】被成形平板に各衣類用カップ（カップ本体）を成形した状態を示す図であって、（ａ）は表面図、（ｂ）は図４０（ａ）のＪ−Ｊ断面図である。
【考案を実施するための形態】
【００１３】
本考案に係る衣類用カップ、及びカップ成形金型について、図１乃至図４０を参照して説明する。
【００１４】
＜衣類用カップ＞
第１及び第２実施形態の衣類用カップについて、図１乃至図１８を参照して説明する。
【００１５】
＜１＞第１実施形態の衣類用カップ
以下、第１実施形態の衣類用カップについて、図１乃至図９を参照して説明する。
【００１６】
図８及び図９において、第１実施形態の衣類用カップＸは、左右一対の衣類用カップＸ１，Ｘ２（左側・衣料用カップＸ１、右側・衣料用カップＸ２）で構成され、各衣類用カップＸ１，Ｘ２は衣類に支持され、左右のバストを覆う。衣類は、例えば、図８及び図９に示すように、ブラジャーＺ１である。
【００１７】
各衣類用カップＸ１，Ｘ２は、図１乃至図７に示すように、カップ本体１、及び複数本の装飾凹溝２，３，４，５を備える。
【００１８】
カップ本体１は、図１乃至図６に示すように、発泡ウレタン６（クッション材）、表生地７及び肌生地８を有する。
表生地７は、図６（ａ）に示すように、発泡ウレタン６の表面６Ａを被覆して、発泡ウレタン６に溶着（熱溶着）して一体とされる。
肌生地８は、図６（ａ）に示すように、発泡ウレタン６の裏面６Ｂ（肌側面）を被覆して、発泡ウレタン６に溶着（熱溶着）して一体とされる。肌生地８は、バスト（人体の肌）に接触される。
表生地６及び肌生地７は、伸縮性の編み地で形成され、例えば、ツーウェイトリコットでなる。
これにより、カップ本体１は、カップ厚方向Ｔにおいて、肌生地８、発泡ウレタン６及び表生地７の順に積層し、表生地７、発泡ウレタン６及び肌生地８を溶着（熱溶着）にて一体にする。なお、カップ厚方向Ｔは、発泡ウレタン６の表裏面６Ａ，６Ｂに交差（直交）する方向である。
【００１９】
カップ本体１は、図１乃至図６に示すように、表生地７、発泡ウレタン６及び肌生地８を、ウレタン厚方向Ｔに膨出して、表側凸曲面９及び肌側凹曲面１０を有する椀状に形成される。
表側凸曲面９は、表生地７（発泡ウレタン６の表面６Ａ）にて椀状に形成され、肌側凹曲面１０は肌生地８（発泡ウレタン６の裏面６Ｂ）にてバストを覆う椀状に形成される。
【００２０】
カップ本体１において、カップ周縁１１は、図１乃至図６に示すように、下端縁１１ａ、上端縁１１ｂ、脇端縁１１ｃ及び連結端縁１１ｄでなる。
カップ周縁１１において、下端縁１１ａは、バストのバージスライン（バストの基底ライン）に倣った曲線に形成される。上端縁１１ｂは、曲線に形成され、下端縁１１ａに対峙して配置される。脇端縁１１ｃは、曲線に形成され、下端縁１１ａ及び上端縁１１ｂに連続して配置される。連結端縁１１ｄは、曲線に形成され、脇側縁１１ｃに対峙して配置される。連結端縁１１ｄは、下端縁１１ａ及び上端縁１１ｂに連続する。
【００２１】
カップ本体１のカップ周縁１１は、デザイン性を有する図形縁（図形曲線）に形成され、例えば、貝殻（板屋貝の貝殻等）周縁を模した（真似た）曲線に形成する。カップ周縁１１において、上端縁１１ｂは、波曲線に形成され、複数（５つ）の波突部１Ａ〜１Ｅを形成する。各波突部１Ａ〜１Ｅは、脇端縁１１ｃ及び連結端縁１１ｄ間に連続して形成され、波突部１Ｃは、脇側縁１１ｃ及び連結縁１１ｄ間の中央部に位置される。
【００２２】
カップ本体１は、カップトップ１ａからカップ周縁１１（下端縁１１ａ、上端縁１１ｂ、脇端縁１１ｃ及び連結端縁１１ｄ）に向って、カップ厚を漸次変化して形成される。カップトップ１ａは、バストトップの位置する点である。
カップ本体１において、カップ厚は、発泡ウレタン６のウレタン厚を漸次変形して形成される。
カップ厚は、図６（ａ）に示すように、カップトップ１ａから下端縁１１ａに向けて漸次減少され、下端縁１１ａ側で最も薄くなる。カップ厚は、図６（ａ）に示すように、カップトップ１ａから上端縁１１ｂに向けて漸次減少され、上端縁１１ｂ側で最も薄くなる。カップ厚は、カップトップ１ａから脇端縁１１ｃ及び連結端縁１１ｄに向けて漸次減少され、脇端縁１１ｃ及び連結端縁１１ｄで最も薄くなる。
カップ本体１において、カップ厚は、カップトップ１ａ及び下端縁１１ａ間の肉厚部分１ｂにて最も厚くなる。
【００２３】
カップ周縁１１において、表生地７の生地端及び肌基地８の生地端は、発泡ウレタン６を介在することなく溶着（熱溶着）される。
これにより、カップ本体１は、発泡ウレタン６を表生地７及び肌生地８にて内包する。
【００２４】
右側・衣類用カップＸ２において、カップ本体１は、図１及び図５に示すように、左側・衣料用カップＸ１のカップ本体１を左右反転した形状に形成され、表側凸曲面９、肌側凹曲面１０、及びカップ周縁１１（下端縁１１ａ、上端縁１１ｂ，脇端縁１１ｃ，連結端縁１１ｄ）を有する。
【００２５】
複数本の装飾凹溝２，３，４，５は、図１乃至図７に示すように、カップ本体１に形成される。具体的には、各装飾凹溝２〜５は、カップ本体１の表側凸曲面９に形成される。
【００２６】
装飾凹溝２は、上端縁１１ｂ側において、波突部１Ｄ近傍に配置される。
装飾凹溝３は、上端縁１１ｂ側において、波突部１Ｂ近傍に配置される。
装飾凹溝４は、装飾凹溝２及び連結縁１１ｄ間に位置して、上端縁１１ｂ側において、波突部１Ｅ近傍に配置される。
装飾凹溝５は、装飾凹溝３及び脇端縁１１ｃ間に位置して、上端縁１１ｂ側において、波突部１Ａ近傍に配置される。
【００２７】
各装飾凹溝２〜４は、相互に交差することなく、下端縁１１ａ及び上端縁１１ｂ間に渡って延びている。
各装飾凹溝２，４は、下端縁１１ａ側から連結端縁１１ｄに向けられて、上端縁１１ｂ側に延ばされる。
各装飾凹溝３，５は、下端縁１１ａ側から脇端縁１１ｃに向けられて、上端縁１１ｂ側に延ばされる。
【００２８】
各装飾凹溝２〜５は、図1乃至図３、図５及び図６に示すように、下端縁１１ａ及び上端縁１１ｂ間において、表側凸曲面９に沿って形成される。
各装飾凹溝２〜５は、表生地７及び発泡ウレタン６の表面６Ａを肌生地８に向けて凹ませて形成される。各装飾凹溝２〜５は、発泡ウレタン６を肌側凹曲面１０（肌生地８）から突出させることなく、肌生地８側に圧縮し、及び凹ませて形成される。
これにより、各装飾凹溝２〜５は、表側凸曲面９に沿った溝底面２Ａ〜５Ａを有する。
【００２９】
各装飾凹溝２〜５は、図６及び図７に示すように、溝深及び溝幅を有して、表側凸曲面９に形成される。
溝深及び溝幅は、下端縁１１ａ及び上端縁１１ｂ間において、一定でなく漸次変化する。
【００３０】
装飾凹溝２は、図６（ｂ）及び図７（ａ）に示すように、溝底面トップ２ａにて溝深Ｄ１及び溝幅Ｈ１を有し、及び図６（ｂ）及び図７（ｂ）に示すように、中間点２ｂ（肉厚部分１ｂ）にて溝深Ｄ２及び溝幅Ｈ２を有する。溝底面トップ２ａは、溝底面２Ａの頂点（最高点）である。中間点２ｂは、溝底面２Ａにおいて、溝底面トップ２ａ及び下端縁１１ａ間の中間点である。
装飾凹溝２は、図６（ｂ）及び図７（ｃ）に示すように、下端縁１１ａ側及び上端縁１１ｂ側にて溝深Ｄ３及び溝幅Ｈ３有する。
装飾凹溝２において、溝深は、例えば、溝深Ｄ２＞溝深Ｄ１＞溝深Ｄ３の関係である。溝深は、カップ厚（ウレタン厚）に応じて変化され、中間点２ｂ（肉厚部分１ｂ）で深く、下端縁１１ａ側及び上端縁１１ｂ側（肉薄部分）で浅くする。
各装飾凹溝２において、溝幅は、例えば、溝幅Ｈ２＞溝幅Ｈ１＞溝幅Ｈ３の関係である。溝幅は、カップ厚（ウレタン厚）に応じて変化され、中間点２ｂ（肉厚部分１ｂ）で広く、下端縁１１ａ側及び上端縁１１ｂ側（肉薄部分）で狭くする。
【００３１】
装飾凹溝３において、溝深は、図１及び図５に示すように、装飾凹溝２と同様、カップ厚（ウレタン厚）に応じて変化され、中間点３ｂ（肉厚部分１ｂ）で深く、下端縁１１ａ側及び上端縁１１ｂ側（肉薄部分）で浅くする。装飾凹溝３において、溝幅は、図１及び図５に示すように、装飾凹溝２と同様、カップ厚（ウレタン厚）に応じて変化され、中間点３ａ（肉厚部分１ｂ）で広く、下端縁１１ａ側及び上端縁１１ｂ側（肉薄部分）
で狭くする。中間点３ｂは、溝底面３Ａにおいて、溝底面トップ３ａ及び下端縁１１ａ間の中間点であって、溝底面トップ３ａは、溝底面３Ａの頂点（最高点）である。
【００３２】
各装飾凹溝４，５において、溝深は、図１及び図５に示すように、カップ厚（ウレタン厚）に応じて変化され、溝底面トップ４ａ，５ａで深く、下端縁１１ａ側及び上端縁１１ｂ側で浅くする。溝底面トップ４ａ，５ａは、溝底面４Ａ，５Ａの頂点（最高点）である。各装飾凹溝４，５において、溝幅は、図１及び図５に示すように、カップ厚（ウレタン厚）に応じて変化され、溝底面トップ４ａ，５ａで広く、下端縁１１ａ側及び上端縁１１ｂ側で狭くする。
【００３３】
各衣類用カップＸ１，Ｘ２において、各装飾凹溝２〜５は、図１乃至図５に示すように、表生地７及び発泡ウレタン６を肌生地８側に圧縮し、及び凹ませて形成されるので、各装飾凹溝２〜５間の部分（各装飾凹溝２〜５の両側部分）において、表生地７及び発泡ウレタン７は、カップ厚方向Ｔに隆起（突出）される。各装飾凹溝２〜５は、溝深及び溝幅をカップ厚（ウレタン厚）に応じて変化せているので、各装飾凹溝２〜５間で隆起する量（以下、「隆起量」という）は、溝深及び溝幅に応じて変化する。隆起量は、溝底面トップ２ａ〜５ａ近傍で大きく、下端縁１１ａ側及び上端縁１１ｂ側で小さくなる。
これにより、各装飾凹溝２〜５は、カップ本体１の表側凸曲面９に立体的な凹凸模様を形成する。
また、各衣類用カップＸ１，Ｘ２において、各装飾凹溝２〜５は、図１乃至図５に示すように、カップ周縁１１（貝殻周縁）及び表側凸曲面９とで、デザイン性の有する立体的な図形（板屋貝の貝殻を真似た貝殻）を形成する。
【００３４】
上記構成の衣類用カップＸ１，Ｘ２は、図８及び図９に示すように、ブラジャーＺ１（衣類）に支持される。
図８及び図９において、ブラジャーＺ１（衣類）は、左右側・脇布１５，１６、左右側・バック布１７，１８、左右側、肩紐１９，２０、連結布２１、及び各衣類用カップＸ１，Ｘ２等を備える。
各衣類用カップＸ１，Ｘ２は、表側凸曲面９（各装飾凹溝２〜５）をブラジャーＺ１表側に配置して、各脇布１５，１６に支持される。各衣類用カップＸ１，Ｘ２において、下端縁１１ａの一部及び脇端縁１１ｃは、各脇布１５，１６に縫着（縫製）される。
各衣類用カップＸ１，Ｘ２は、各連結端縁１１ｄ，１１ｄ間に連結布２１を介在して、連結布２１にて連結される。連結布２１は、各衣類用カップＸ１，Ｘ２の連結端縁１１ｄに縫着（縫製）される。
各バック布１７，１８は、各脇布１５，１６に縫着（縫製）して、各脇布１５，１６に連結される。各肩紐１９，２０は、ブラジャーＺ１肌側（裏泡）において、各バック布１７，１８及び各衣類用カップＸ１，Ｘ２に固定される。各肩紐１９，２０において、一方の紐端は、各バック布１７，１８に固定され、他方の紐端は、各衣類用カップＸ１，Ｘ２の上端縁１１ｂ側に固定される。
【００３５】
図８及び図９において、各衣類用カップＸ１，Ｘ２は、ブラジャーＺ１（衣類）に支持することで、ブラジャーＺ１に立体的な装飾を施すことができる。立体的な装飾は、各衣類用カップＸ１，Ｘ２をブラジャーＺ１に支持するだけで可能となる。
【００３６】
＜２＞第２実施形態の衣類用カップ
以下、第２実施形態の衣類用カップについて、図１０乃至図１８を参照して説明する。
なお、図１０乃至図１８において、図１乃至図７と同一符号は、同一部材、同一構成であるので、その詳細な説明は省略する。
【００３７】
図１７及び図１８において、第２実施形態の衣類用カップＹは、左右一対の衣類用カップＹ１，Ｙ２（左側・衣類用カップＹ１、右側・衣類用カップＹ２）で構成され、各衣類用カップＹ１，Ｙ２は、衣類に支持され、左右のバストを覆う。衣類は、例えば、図１７及び図１８に示すように、ブラジャーである。
【００３８】
各衣類用カップＹ１，Ｙ２は、図１０乃至図１６に示すように、カップ本体２１、及び複数本の装飾凹溝２２，２３，２４，２５を備える。
【００３９】
カップ本体２１は、図１０乃至図１５に示すように、発泡ウレタン２６（クッション材）、表生地７及び肌生地８を有する。
発泡ウレタン２６は、図１５に示すように、基礎ウレタン２９及び下厚ウレタン３０で構成される。下厚ウレタン３０は、基礎ウレタン２９の裏面に当接して、基礎ウレタン２９の一部に配置される。
表生地７は、図１５（ａ）に示すように、発泡ウレタン２６の表面２６Ａを被覆して、基礎ウレタン２９に溶着（熱溶着）して一体とされる。具体的には、発泡ウレタン２６の表面２６Ａは、基礎ウレタン２９の表面となり、表生地７は、基礎ウレタン２６表面を被覆して、基礎ウレタン２９に溶着（熱溶着）して一体とされる。
肌生地８は、図１５（ａ）に示すように、発泡ウレタン２６の裏面２６Ｂを被覆して、発泡ウレタン２６に溶着（熱溶着）される。具体的には、発泡ウレタン２６の裏面２６Ｂは、基礎ウレタン２９の裏面の一部、及び下厚ウレタン３０の裏面の一部にて構成され、肌生地８は、基礎ウレタン２９の裏面及び下厚ウレタン３０の裏面を被覆して、基礎ウレタン２９及び下厚ウレタン３０に溶着（熱溶着）して一体とされる。肌生地８は、バスト（人体の肌）に接触される。
これにより、カップ本体２１は、カップ厚方向Ｔにおいて、肌生地８、下厚ウレタン３０、基礎ウレタン２９及び表生地７の順に積層し、表生地７、基礎ウレタン２９、下厚ウレタン３０及び肌生地８を溶着（熱溶着）にて一体にする。
【００４０】
カップ本体２１は、表生地７、基礎ウレタン２９、下厚ウレタン３０及び肌生地８を、ウレタン厚方向Ｔに膨出して、表側凸曲面３９及び肌側凹曲面４０を有する椀状に形成される。
表側凸曲面３９は、表生地７（基礎ウレタン２９の表面）にて椀状に形成される。肌側凹曲面４０は、肌生地８（基礎ウレタン２９の裏面及び下厚ウレタン３０の裏面）にてバストを覆う椀状に形成される。
【００４１】
カップ本体２１において、カップ周縁３１は、図１０乃至図１５に示すように、下端縁３１ａ、上端縁３１ｂ、脇端縁３１ｃ及び連結端縁３１ｄでなる。
カップ周縁３１において、下端縁３１ａは、バストのバージスライン（ハストの基底ライン）に沿った曲線に形成される。上端縁３１ｂは、曲線に形成され、下端縁３１ａに対峙して配置される。脇端縁３１ｃは、曲線に形成され、下端縁３１ａ及び上端縁３１ｂに連続して配置される。連結端縁３１ｄは、曲線に形成され、脇端縁３１ｃに対峙して配置される。連結端縁３１ｄは、下端縁３１ａ及び上端縁３１ｂに連続する。
【００４２】
カップ本体２１のカップ周縁３１は、デザイン性を有する図形縁（図形曲線）に形成され、例えば、貝殻（板屋貝の貝殻等）周縁を模した（真似た）曲線に形成する。カップ周縁３１において、上端縁３１ｂは、波曲線に形成され、複数（５つ）の波突部２１Ａ〜２１Ｅを形成する。各波突部２１Ａ〜２１Ｅは、脇端縁３１ｃ及び連結端縁３１ｄ間に連続して形成され、波突部２１Ｃは、脇端縁３１ｃ及び連結端縁３１ｄ間の中央部に位置される。
【００４３】
カップ本体２１は、下厚ウレタン３０を、カップトップ２１ａ及び下端縁３１ａ間に配置する。下厚ウレタン３０は、脇端縁３１ｃ側及び連結端縁３１ｄ側に延在される。カップトップ２１ａは、バストトップの位置する点である。
カップ本体２１は、カップトップ２１ａからカップ周縁３１（下端縁３１ａ、上端縁３１ｂ、脇端縁３１ｃ及び連結端縁３１ｓ）に向って、カップ厚を漸次変化して形成される。カップ本体２１において、カップ厚の変化は、発泡ウレタン２６のウレタン厚（基礎ウレタン２９及び下厚ウレタン３０のウレタン厚）を漸次変化して形成される。
カップ厚は、図１５（ａ）に示すように、カップトップ２１ａから下端縁３１ａに向って、漸次増加されてバスト保持部分２１ｂを形成し、その後、漸次減少され、下端縁３１ａ側で最も薄くなる。カップ厚は、図１５（ａ）に示すように、カップトップ２１ａから上端縁３１ｂに向けて、漸次減少され、上端縁３１ｂ側で最も薄くなる。
カップ本体２１において、カップ厚は、カップトップ２１ａ及び下端縁３１ａ間のバスト保持部分２１ｂにて最も厚くなる。
【００４４】
カップ周縁３１において、表生地７の生地端及び裏生地８の生地端は、発泡ウレタン２６（基礎ウレタン２９及び下厚ウレタン３０）を介在することなく溶着（熱溶着）される。
これより、カップ本体２１は、基礎ウレタン２９及び下厚ウレタン３０（発泡ウレタン２６）を表生地７及び肌生地８にて内包する。
【００４５】
右側・衣類用カップＹ２において、カップ本体２１は、図１０及び図１４に示すように、左側・衣類用カップＹ２のカップ本体２１を左右反転した形状に形成され、表側凸曲面３９、肌側凹曲面４０、及びカップ周縁３１（下端縁３１ａ、上端縁３１ｂ、脇端縁３１ｃ、連結端縁３１ｄ）を有する。
【００４６】
複数本の装飾凹溝２２，２３，２４，２５は、図１０乃至図１２、及び図１４乃至図１６に示すように、カップ本体２１に形成される。具体的には、各装飾凹溝２２〜２５は、カップ本体２１の表側凸曲面３９に形成される。
【００４７】
装飾凹溝２２は、上端縁３１ｂ側において、波突部２１Ｄ近傍に配置される。
装飾凹溝２３は、上端縁３１ｂ側において、波突起２１Ｂ近傍に配置される。
装飾凹溝２４は、装飾凹溝２２及び連結端縁３１ｄ間に位置して、上端縁３１ｂ側において、波突部２１Ｅ近傍に配置される。
装飾凹溝２５は、装飾凹溝２３及び脇端縁３１ｃ間に位置して、上端縁３１ｂ側において、波突部２１Ａ近傍に配置される。
【００４８】
各装飾凹溝２２〜２５は、相互に交差することなく、下端縁３１ａ及び上端縁３１ｂ間に渡って延びている。
各装飾凹溝２２，２４は、下端縁３１ａから連結端縁３１ｄに向けられて、上端縁３１ｂ側に延ばされる。
各装飾凹溝２３，２５は、下端縁３１ａから脇端縁３１ｃに向けられて、上端縁３１ｂ側に延ばされる。
【００４９】
各装飾凹溝２２〜２５は、図１０乃至図１２、図１４及び図１５に示すように、下端縁３１ａ及び上端縁３１ｂ間において、表側凸曲面３９に沿って形成される。
各装飾凹溝２２〜２５は、表生地７及び発泡ウレタン２６（基礎ウレタン２９）の表面２６Ａを肌生地８に向けて凹ませて形成される。各装飾凹溝２２〜２５は、発泡ウレタン２６を肌側凹曲面４０（肌生地８）から突出されることなく、基礎ウレタン２９を肌生地８側に圧縮し、及び凹ませて形成される。
これにより、各装飾凹溝２２〜２５は、表側凸曲面３９に沿った溝底面２２Ａ〜２５Ａを有する。
【００５０】
各装飾凹溝２２〜２５は、溝深及び溝幅を有して、表側凸曲面３９に形成される。
溝深及び溝幅は、下端縁３１ａ及び上端縁３１ｂ間において、一定でなく漸次変化する。
【００５１】
装飾凹溝２２は、図１５（ｂ）及び図１６（ａ）に示すように、溝底面トップ２２ａにて溝深ＤＡ及び溝幅ＨＡを有し、及び中間点２２ｂ（バスト保形部分２１ｂ）にて溝深ＤＢ及び溝幅ＨＢを有する。溝底面トップ２２ａは、溝底面２Ａの頂点（最高点）である。中間点２２ｂは、溝底面２２Ａにおいて、溝底面トップ２２ａ及び下端縁３１ａ間の中間点である。
装飾凹溝２２は、下端縁３１ａ側及び上端縁３１ｂ側にて溝深ＤＣ及び溝幅ＨＣを有する。
装飾凹溝２２において、溝深は、例えば、溝深ＤＢ＞溝深ＤＡ＞溝深ＤＣの関係である。溝深は、カップ厚（ウレタン厚）に応じて変化され、中間点２２ｂ（バスト保形部分２１ｂ）で深く、下端縁３１ａ側及び上端縁３１ｂ側（肉薄部分）で浅くする。
装飾凹溝２２において、溝幅は、例えば、溝幅ＨＢ＞溝幅ＨＡ＞溝幅ＨＣの関係である。溝幅は、カップ厚（ウレタン厚）に応じて変化され、中間点２２ｂ（バスト保形部分２１ｂ）で広く、下端縁３１ａ側及び上端縁３１ｂ側（肉薄部分）で狭くする。
【００５２】
装飾凹溝２３〜２５において、溝深は、図１０及び図１４に示すように、カップ厚（ウレタン厚）に応じて変化され、中間点２３ｂ〜２５ｂ（バスト保形部分２１ｂ）で深く、下端縁３１ａ側及び上端縁３１ｂ側で浅くする。中間点２３ｂ〜２５ｂは、溝底面２３Ａ〜２５Ａにおいて、溝底面トップ２３ａ〜２５ａ及び下端縁３１ａ間の中間点であって、溝底面トップ２３ａ〜２５ａは、溝底面２３Ａ〜２５Ａの頂点（最高点）である。
装飾凹溝２３〜２５において、溝幅は、図１０及び図１４に示すように、カップ厚（ウレタン厚）に応じて変化され、中間点２３ｂ〜２５ｂ（バスト保形部分２１ｂ）で）で広く、下端縁３１ａ側及び上端縁３１ｂ側で狭くする。
【００５３】
各衣類用カップＹ１，Ｙ２において、各装飾凹溝２２〜２５は、表生地７及び発泡ウレタン２６（基礎ウレタン２９）を肌生地８側に圧縮し、及び凹ませて形成されるので、各装飾凹溝２２〜２５間の部分（各装飾凹溝２２〜２５の両側部分）において、表生地７及び発泡ウレタン２６は、カップ厚方向Ｔに隆起（突出）される。各装飾凹溝２２〜２５は、溝深及び溝幅をカップ厚（ウレタン厚）に応じて漸次変化させているので、隆起量は溝深及び溝幅に応じて変化する。隆起量は、溝底面トップ２２ａ〜２５ａ近傍で大きく、下端縁３１ａ側及び上端縁３１ｂ側で小さくなる。
これにより、各装飾凹溝２２〜２５は、カップ本体２１の表側凸曲面３９に立体的な凹凸模様を形成する。
また、各衣類用カップＹ１，Ｙ２において、各装飾凹溝２２〜２５は、カップ周縁３１（貝殻周縁）及び表側凸曲面３９とで、デザイン性を有する立体的な図形（板屋貝を真似た貝殻）を形成する。
【００５４】
上記構成の衣類用カップＹ１，Ｙ２は、図１７及び図１８に示すように、ブラジャーＺ２（衣類）に支持される。
図１７及び図１８において、各衣類用カップＹ１，Ｙ２は、図８及び図９で説明したと同様、表側凸曲面３９（各装飾凹溝２２〜２５）をブラジャーＹ２表側に配置して、各脇布１５，１６に支持される。各衣類用カップＹ１，Ｙ２において、カップ本体２１は、下端縁３１ａの一部及び脇端縁３１ｃを各脇布１５，１６に縫着（縫製）する。
各衣類用カップＹ１，Ｙ２は、連結端縁３１ｄ，３１ｄ間に連結布２１を介在して連結される。連結布２１は、各衣連結端縁３１ｄ，３１ｄにおいて、各衣類用カップＹ１，Ｙ２のカップ本体１，１に縫着（縫製）される。
【００５５】
図１７及び図１８において、各衣類用カップＹ１，Ｙ２は、ブラジャーＺ２（衣類）に支持することで、ブラジャーＺ２に立体的な装飾を施すことができる。立体的な装飾は、各衣類用カップＹ１，Ｙ２をブラジャーＺ２に支持するだけで可能となる。
【００５６】
第１及び第２実施形態の衣類用カップＸ１，Ｘ２、Ｙ１，Ｙ２では、表側凸曲面９，３９に沿って形成される装飾凹溝にてハート、星等の立体的な凹凸模様を表側凸曲面９，３９に形成しても良い。
第１及び第２実施形態の衣類用カップＸ１，Ｘ２、Ｙ１，Ｙ２では、カップ本体のカップ周縁及び１又は複数本の装飾凹溝の立体的な凹凸模様にて、例えば、漫画等のキャラクタ、動物等の生物を模した（真似た）立体的な図形（デザイン性を有する立体的な図形）を表側凸曲面に形成しても良い。
【００５７】
第１及び第２実施形態の衣類用カップＸ１，Ｘ２、Ｙ１，Ｙ２において、衣類はブラジャーＺ１，Ｚ２に限定されず、女性用のボディースーツ、ビスチエ、キャミソール、スリップ等であっても良い。
【００５８】
＜カップ成形金型＞
第１及び第２実施形態のカップ成形金型について、図１９乃至図４０を参照して説明する。
【００５９】
＜１＞第１実施形態のカップ成形金型
以下、第１実施形態のカップ成形金型について、図１９乃至図２９を参照して説明する。
【００６０】
図２８及び図２９において、第１実施形態のカップ成形金型Ｍは、衣類用カップＸ１，Ｘ２（第１実施形態の衣類用カップＸ）を成形する。
【００６１】
図１９乃至図２７において、第１実施形態のカップ成形金型Ｍ（以下、「カップ成形金型Ｍ」という）は、雌金型５１、複数本の成形突条５２，５３，５４，５５及び雄金型５６を備える。
【００６２】
雌金型５１は、図１９乃至図２２に示すように、雌金型ブロック６１、左右一対の成形凹曲面６２，６３、周縁曲線６４及び複数本の位置決め線６５，６６，６７，６８を有する。各成形凹曲面６２，６３は、雌金型ブロック６１に左右並列して配置される。
【００６３】
成形凹曲面６２は、衣類用カップＸ１において、カップ本体１の表側凸曲面９を形成する。成形凹曲面６２は、衣類用カップＸ１において、椀状の表側凸曲面９に倣った椀状に形成される。
【００６４】
成形凹曲面６３は、衣類用カップＸ２において、カップ本体１の表側凸曲面９を形成する。成形凹曲面６３は、衣類用カップＸ２において、椀状の表側凸曲面９に倣った椀状に形成される。
【００６５】
雌金型５１において、周縁曲線６４は、図１９乃至図２２に示すように、各成形凹曲面６２，６３に描かれ、各成形凹曲面６２，６３の外周縁（カップ周縁１１）を構成する。各周縁曲線６４は、カップ周縁１１（下端縁１１ａ，上端縁１１ｂ，脇端縁１１ｃ，連結端縁１１ｄ）と同一の図形曲線（板屋貝の貝殻を模した貝殻周縁）であって、下端曲線６４ａ、上端曲線６４ｂ、脇端曲線６４ｃ及び連結端曲線６４ｄでなる。
下端曲線６４ａは、カップ周縁１１の下端縁１１ａと同一の曲線であり、上端曲線６４ｂは上端縁１１ｂと同一の波曲線である。脇端曲線６４ｃは、脇端縁１１ｃと同一の曲線であり、連結端曲線６４ｄは連結端縁１１ｄと同一の曲線である。
各周縁曲面６４は、例えば、ケガキにて各成形凹曲面６２，６３に、浅く細い溝として描かれる。
【００６６】
各成形凹曲面６２，６３は、各周縁曲線６４の上端曲線６４ｂ（波曲線）を対峙して、雌金型ブロック５１の左右に形成される。
【００６７】
複数本の位置決め線６５〜６８は、図１９及び図２２に示すように、各成形凹曲面６２，６３に描かれる。各位置決め線６５〜６８は、下端曲線６４ａ及び上端曲線６４ｂ間に描かれる。
位置決め線６５は、装飾凹溝２を形成する位置（範囲）において、各成形凹曲面６２，６３に沿った曲線に描かれる。位置決め線６６は、装飾凹溝３を形成する位置（範囲）において、各成形凹曲面６２，６３沿った曲線に描かれる。
位置決め線６７は、装飾凹溝４を形成する位置（範囲）において、各成形凹曲面６２，６３に沿った曲線に描かれる。位置決め線６８は、装飾凹溝５を形成する位置（範囲）において、各成形凹曲面６２，６３に沿った曲線に描かれる。
【００６８】
複数本の成形突条５２〜５５は、各装飾凹溝２〜５を形成する。
【００６９】
成形突条５２は、図１９乃至図２１、及び図２３（ａ）に示すように、装飾凹溝２を形成する位置（範囲）において、成形凹曲線６２，６３（表側凸曲面９）に沿った湾曲状に形成される。成形突条５２は、成形凹曲線６２，６３に倣った突条裏曲面５２Ａ、及び表側凸曲面９に沿った突条表曲面５２Ｂを有する。
成形突条５２は、図２３（ａ）に示すように、突条トップ５２ａにて突条高Ｌ１及び突条幅Ｗ１を有し、突条中間点５２ｂにて突条高Ｌ２及び突条幅Ｗ２を有する。成形突条５２は、突条下端５２ｃ側及び突条上端５２ｄ側にて突条高Ｌ３及び突条幅Ｗ３を有する。
突条トップ５２ａは、突条表曲面５２Ｂの頂点（最高点）であって、溝底面トップ２ａに対応する。突条中間点５２ｂは、突条トップ５２ａ及び突条下端５２ｃ間の中間点であって、溝底面２Ａの中間点２ｂに対応する。突条下端５２ｃ側及び突条上端５２ｄ側は、装飾凹溝２の下端縁１１ａ側、上端縁１１ｂ側に対応する。
成形突条５２において、突条高は、例えば、突条高Ｌ２＞突条高Ｌ１＞突条高Ｌ３の関係である。突条高は、突条トップ５２ａから突条下端５２ｃ及び突条上端５２ｄに向かって、漸次変化される。突条高は、突条中間点５２ｂで高く、突条下端５２ｃ側及び突条上端５２ｄ側で低くなる。また、突条高は、カップ本体１において、カップ厚（ウレタン厚）の肉厚部分１ｂで高くし、及びカップ厚（ウレタン厚）の肉薄部分で低くする。
成形突条５２において、突条幅は、例えば、突条幅Ｗ２＞突条幅Ｗ１＞突条幅Ｗ３の関係である。突条幅は、突条トップ５２ａから突条下端５３ｃ及び突条上端５２ｄに向って、漸次変化される。突条幅は、突条中間点５２ａで広く、突条下端５２ｃ側及び突条上端５２ｄ側で狭くなる。また、突条幅は、カップ本体１において、カップ厚（ウレタン厚）の肉厚部分１ｂで広くし、及びカップ厚（ウレタン厚）の肉薄部分で狭くする。
【００７０】
成形突条５３は、図１９乃至図２１、及び図２３（ｂ）に示すように、装飾凹溝３を形成する位置（範囲）において、成形凹曲線６２，６３（表側凸曲面９）に沿った湾曲状に形成される。成形突条５３は、成形凹曲面６２，６３に倣った突条裏曲面５３Ａ、及び表側凸曲面９に沿った突条表曲面５３Ｂを有する。
成形突条５３は、突条トップ５３ａにて突条高Ｌ４及び突条幅Ｗ４を有し、突条中間点５３ｂにて突条高Ｌ５及び突条幅Ｗ５を有する。成形突条５３は、突条下端５３ｃ側及び突条上端５３ｄ側にて突条高Ｌ６及び突条幅Ｗ６を有する。
突条トップ５３ａは、突条表曲面５３Ｂの頂点（最高点）であって、溝底面トップ３ａに対応する。突条中間点５３ｂは、突条トップ５３ａ及び突条下端５３ｃ間の中間点であって、溝底面３Ａの中間点３ｂに対応する。突条下端５３ｃ側及び突条上端５３ｄ側は、装飾凹溝３の下端縁１１ａ側及び上端縁１１ｂ側に対応する。
成形突条５３において、突条高は、例えば、突条高Ｌ５＞突条高Ｌ４＞突条高Ｌ６の関係である。突条高は、突条トップ５３ａから突条下端５３ｃ及び突条上端５３ｄに向って、漸次変化される。突条高は、突条中間点５３ａで高く、突条下端５３ｃ側及び突条上端５３ｄ側で低くなる。また、突条高は、カップ本体１において、カップ厚（ウレタン厚）の肉厚部分１ｂで高くし、及びカップ厚（ウレタン厚）の肉薄部分で低くする。
成形突条５３において、突条幅は、例えば、突条幅Ｗ５＞突条幅Ｗ４＞突条幅Ｗ６の関係である。突条幅は、突条トップ５３ａから突条下端５３ｃ及び突条上端５３ｄに向けて、漸次変化される。突条幅は、突条中間点５３ｂで広く、突条下端５３ｃ側及び突条上端５３ｄ側で狭くなる。また、突条幅は、カップ本体１において、カップ厚（ウレタン厚）の肉厚部分１ｂで広くし、及びカップ厚（ウレタン厚）の肉薄部分で狭くする。
【００７１】
成形突条５４は、図１９乃至図２１、及び図２４（ａ）に示すように、装飾凹溝４を形成する位置（範囲）において、成形凹曲面６２，６３（表側凸曲面９）に沿った湾曲状に形成される。成形突条５４は、成形凹曲面６２，６３に倣った突条裏曲面５４Ａ、及び表側凸曲面９に沿った突条表曲面５４Ｂを有する。
成形突条５４は、突条トップ５４ａにて突条高Ｌ７及び突条幅Ｗ７を有し、突条下端５４ｃ側及び突条上端５４ｄ側にて突条高Ｌ８及び突条幅Ｗ８を有する。
突条トップ５４ａは、突条表曲面５４ｂの頂点（最高点）であって、溝底面トップ４ａに対応する。突条下端５４ｃ側及び突条上端５４ｄ側は、装飾凹溝４の下端縁１１ａ側及び上端縁１１ｂ側に対応する。
成形突条５４において、突条高は、例えば、突条高Ｌ７＞突条高Ｌ８の関係である。突条高は、突条トップ５４ａから突条下端５４ｃ及び突条上端５４ｄに向って、漸次変化される。突条高は、突条トップ５４ａで高く、突条下端５４ｃ側及び突条上端５４ｄ側で低くなる。また、突条高は、カップ本体１において、カップ厚（ウレタン厚）の肉厚部分１ｂで高くし、及びカップ厚（ウレタン厚）の肉薄部分で低くする。
成形突条５４において、突条幅は、例えば、突条幅Ｗ７＞突条幅Ｗ８の関係である。突条幅、突条トップ５４ａで広く、突条下端５４ｃ側及び突条上端５４ｄ側で狭くなる。また、突条幅は、カップ本体１において、カップ厚（ウレタン厚）の肉厚部分１ｂで広くし、及びカップ厚（ウレタン厚）の肉薄部分で狭くする。
【００７２】
成形突条５５は、図１９乃至図２１、及び図２４（ｂ）に示すように、装飾凹溝５を形成する位置（範囲）において、成形凹曲面６２，６３（表側凸曲面９）に沿った湾曲状に形成される。成形突条５５は、成形凹曲面６２，６３に倣った突条裏曲面５５Ｂ、及び表側凸曲面９に沿った突条表曲面５５Ｂを有する。
成形突条５５は、突条トップ５５ａにて突条高Ｌ９及び突条幅Ｗ９を有し、突条下端５５ｃ側及び突条上端５５ｄ側にて突条高Ｌ１０及び突条幅Ｗ１０を有する。
突条トップ５５ａは、突条表曲面５５Ｂの頂点（最高点）であって、溝底面トップ５ａに対応する。突条下端５５ｃ側及び突条上端５５ｄ側は、装飾凹溝５の下端縁１１ａ側及び上端縁１１ｄ側に対応する。
成形突条５５において、突条高は、例えば、突条高Ｌ９＞突条高Ｌ１０の関係である。突条高は、突条トップ５５ａから突条下端５５ｃ及び突条上端５５ｄに向って、漸次変化される。突条高は、突条トップ５５ａで高く、突条上端５５ｃ側及び突条上端５５ｄ側で低くなる。また、突条高は、カップ本体１において、カップ厚（ウレタン厚）の肉厚部分１ｂで高くし、及びカップ厚（ウレタン厚）の肉薄部分で低くする。
成形突条５５において、突条幅は、例えば、突条幅Ｗ９＞突条幅Ｗ１０の関係である。突条幅は、突条トップ５５ａから突如下端５５ｃ及び突条上端５５ｄに向けて、漸次変化される。突条幅は、突条トップ５５ａで広く、突条下端５５ｃ側及び突条上端５５ｄ側で狭くなる。また、突条幅は、カップ本体１において、カップ厚（ウレタン厚）の肉厚部分１ｂで広くし、及びカップ厚（ウレタン厚）の肉薄部分で狭くする。
【００７３】
各成形突条５２は、図１９乃至図２１に示すように、突条裏曲面５２Ｂを成形凹曲面６２，６３に当接しつつ、位置決め線６５に沿って配置される。各成形突条５２は、突条下端５２ｃを下端曲線６４ａに向けて配置される。
これにより、各成形突条５２は、各成形凹曲面６２，６３から突出され、各成形凹曲面６２，６３内側に突条表曲面５２Ｂを配置する。
また、各成形突条５２は、各成形凹曲面６２，６３に対して、装飾凹溝２を形成する位置（範囲）に配置される。
【００７４】
各成形突条５３は、図１９乃至図２１に示すように、突条裏曲面５３Ｂを成形凹曲面６２，６３に当接しつつ、位置決め線６６に沿って配置される。各成形突条５３は、突条下端５３ｃを下端曲線６４ａに向けて配置される。
これにより、各成形突条５３は、各成形凹曲面６２，６３から突出され、各成形凹曲面６２，６３内側に突条表曲面５３Ｂを配置する。
また、各成形突条５３は、各成形凹曲面６２，６３に対して、装飾凹溝３を形成する位置（範囲）に配置される。
【００７５】
各成形突条５４は、図１９乃至図２１に示すように、突条裏曲円５４Ｂを成形凹曲面６２，６３に当接しつつ、位置決め線６７に沿って配置される。各成形突条５４は、突条下端５４ｃを下端曲線６４ａに向けて配置される。
これにより、各成形突条５４は、各成形凹曲面６２，６３から突出され、各成形凹曲面６２，６３内側に突条表曲面５４Ｂを配置する。
また、各成形突条５４は、各成形凹曲面６２，６３に対して、装飾凹溝４を形成する位置（範囲）に配置される。
【００７６】
各成形突条５５は、図１９乃至図２１に示すように、突条裏曲面５４Ａを成形凹曲面６２，６３に当接しつつ、位置決め線６８に沿って配置される。各成形突条５５は、突条下端５５ｃを下端曲線６４ａに向けて配置される。
これにより、各成形突条５５は、各成形凹曲面６２，６３から突出され、各成形凹曲面６２，６３内側に突条表曲面５５Ｂを配置する。
また、各成形突条５５は、各成形凹曲面６２，６３に対して、装飾凹溝５を形成する位置（範囲）に配置される。
【００７７】
各成形突条５２〜５５は、図１９に示すように、例えば、複数ヶ所（４ヶ所）のロウ付け（仮ロウ付け）６９にて、各成形凹曲面６２，６３に取外し自在として固定（仮固定）される。各鑞付け６９は、各成形突条５２〜５５の突条裏曲面５２Ａ〜５５Ａ側を各成形凹曲面６２，６３に固定（仮固定）する。各成形突条５２〜５５は、各ロウ付け（仮ロウ付け）６９を取除くことで、各成形凹曲面６２，６３から取外せる。
【００７８】
カップ成形金型Ｍにおいて、雄金型５６は、図２５乃至図２７に示すように、雄金型ブロック７１、及び左右一対の成形凸曲面７２，７３、及び周縁曲線７４を有する。各成形凸曲面７２，７３は、雄金型ブロック７１に左右並列して配置される。
【００７９】
成形凸曲面７２は、衣類用カップＸ１（左側・衣類用カップ）において、カップ本体１の肌側凹曲面１０を形成する。
成形凸曲面７２は、衣類用カップＸ１（左側・衣類用カップ）において、椀状の肌側凹曲面１０に倣った椀状に形成される。
【００８０】
成形凸曲面７３は、衣類用カップＸ２（右側・衣類用カップ）において、カップ本体１の肌側凹曲線１０を形成する。
成形凸曲面７２は、衣類用カップＸ２（右側・衣類用カップ）において、椀状の肌側凹曲面１０に倣った椀状に形成される。
【００８１】
雄金型５６において、周縁曲線７４は、図２５及び図２６に示すように、各成形凸曲面７２，７３に描かれ、各成形凸曲面７２，７３の外周縁（カップ周縁１１）を構成する。各周縁曲線７４は、カップ周縁１１と同一の図形曲線であって、下端曲線７４ａ、上端曲線７４ｂ、脇端曲線７４ｃ及び連結端曲線７４ｄでなる。
下端曲線７４ａは、カップ周端１１の下端縁１１ａと同一の曲線であり、上端曲線７４ｂは上端縁１１ｂと同一の波曲線である。脇端曲線７４ｃは、脇端縁１１ｃと同一の曲線であり、連結端曲線７４ｄは、連結端縁１１ｄと同一の曲線である。
各周縁曲線７４は、例えば、ケガキにて各成形凸曲面７２，７３に、浅く遅い溝として描かれる。
【００８２】
各成形凸曲面７２，７３は、各周縁曲線７４の上端曲線７４ｂ（波曲線）を対峙して、雄金型ブロック７１に形成される。
【００８３】
次に、衣類用カップＸ１，Ｘ２の成形について、図２７及び図２８を参照して説明する。
【００８４】
図２７（ａ）において、発泡ウレタンフォームＦ１、表生地７及び肌生地８を用意する。発泡ウレタンフォームＦ１は、ウレタン厚ＴＷの平板である。肉厚部分１ｂのカップ厚（ウレタン厚）より多少厚くする。
表生地７は、発泡ウレタンフォームＦ１の表面Ｆ１Ａを被覆して、熱可塑性接着剤にて発泡ウレタンフォームＦ１に接着される。
肌生地８は、発泡ウレタンフォームＦ１の裏面Ｆ１Ｂを被覆して、熱可塑性接着剤にて発泡ウレタンフォームＦ１に接着される。
これにより、肌生地８、発泡ウレタンフォームＦ１及び表生地７の順に積載して一体とした、被成形平板ＩＮ１を製作する。
【００８５】
カップ成形金型Ｍにおいて、雌金型５１及び雄金型５６は、図２７（ａ）に示すように、成形凹曲面６２及び成形凸曲面７２同士を対峙し、及び成形凹曲面６３及び成形凸曲面７３同士を対峙して配置する。カップ成形金型Ｍは、雌金型５１及び雄金型５６間に間隔を隔てて、各金型５１，５６を配置する。雌金型５１及び雄金型５６は、成形温度に加熱される。
被成形平板ＩＮ１は、雌金型５１及び雄金型５６間に配置される。被成形平板ＩＮ１において、表生地７は、各成形凹曲面６２，６３及び各成形突条５２〜５５に向けられ、及び肌生地８は、各成形凸曲面７２，７３に向けられる。
【００８６】
続いて、雌金型５１及び雄金型５６を相対移動して、成形凹曲面６２及び成形凸曲面７２にて被成形平板ＩＮ１を挟み、及び成形凹曲面６３及び成形凸曲面７３にて被成形平板ＩＮ１を挟む［図２７（ｂ）参照］。
カップ成形金型Ｍは、雌金型５１及び雄金型５６にて、被成形平板ＩＮ１を加熱しつつ、各成形凹曲面６２，６３及び各成形凸曲面７２，７３に圧接する。
これにより、被成形平板ＩＮにおいて、表生地７、発泡ウレタンフォームＦ１及び肌生地８は熱溶着にて一体とされ、及び被加工平板ＩＮ１は、図２８（ｂ）及び図２９に示すように、衣類用カップＸ１，Ｘ２（カップ本体１）の表側凸曲面９及び肌側凹曲面１０に成形される。
このとき、各成形突条５２〜５５は、衣類用カップＸ１，Ｘ２のカップ本体１において、表生地７及び発泡ウレタンフォームＦ１（発泡ウレタン６）を肌生地８側に圧縮し、及び凹ませて、各装飾凹溝２〜５を表側凸曲面９に成形する（図２９参照）。
また、各周縁曲線６４，７４（ケガキ）にて、各衣類用カップＸ１，Ｘ２のカップ周縁１１に対応する周縁曲線７５を被成形平板ＩＮ１に形成する。
【００８７】
続いて、被成形平板ＩＮ１を雌金型５１及び雄金型５６間から取出し、被成形平板ＩＮ１に成形した各カップ本体１について、各装飾凹溝２〜５の溝深及び溝幅を測定する。
各装飾凹溝２〜５において、測定した溝深及び溝幅が、所望の溝深及び溝幅（設計の溝深及び溝幅）であると、各成形突条５２〜５５を各成形凹曲面６２，６３に本固定する。本固定は、各成形突条２〜５の突条裏曲面５２Ａ〜５５Ａ側の全体を各成形凹曲面６２，６３にロウ付けして実施する。
【００８８】
一方、各装飾凹溝２〜５について、測定した溝深及び溝幅が、所望の溝深及び溝幅でないと、各ロウ付け８９を取除いて、各成形突条５２〜５５を各成形凹曲面６２，６３から取外す。
溝深及び溝幅の測定結果に基づいて、各成形突条５２〜５５の突条高及び突条幅を調整する。
突条高及び突条溝の調整は、測定した溝深及び溝幅が、所望の溝深及び溝幅より深く、広いときは、各成形突条５２〜５５を研削等して調整する。測定した溝深及び溝幅が、所望の溝深及び溝幅より浅く、狭いときは、別途用意する成形突条にて調整する。
続いて、調整した各成形突条５２〜５５を各位置決め線６５〜６８に沿って配置し、及び複数ヶ所のロウ付け８９にて各成形凹曲面６２，６３に固定（仮固定）する。
続いて、再度、図２７及び図２８で説明したと同様、調整した各成形突条５２〜５５を用いて被成形平板ＩＮ１を成形する。
このように、成形後のカップ本体１に対し、各装飾凹溝２〜５の溝深及び溝幅が、所望の溝深及び溝幅（設計の溝深及び溝深）になるまで、各成形突条２〜５の突条高及び突条幅の調整、及びカップ本体１の成形を繰返す。
【００８９】
所望の溝深及び溝を得ると、被成形平板ＩＮ１において、各カップ本体１の各周縁曲線７５に沿って切断することで、衣類用カップＸ１，Ｘ２（カップ本体１）とする（図１及び図５参照）。
【００９０】
第１実施形態のカップ成形金型Ｍでは、成形する衣類用カップＸ１，Ｘ２において、カップ厚（ウレタン厚）に応じて、各成形突条５２〜５５に作用する反発力（発泡ウレタンからの反発力）は相異する。このことから、各成形突条５２〜５５は、突条高及び突条幅を漸次変化し、カップ厚（ウレタン厚）の肉厚部分で突条高を高く、及び突条幅を広くし、カップ厚（ウレタン厚）の肉薄部分で突条高を低く、及び突条幅を狭くしている。
成形突条５２〜５５を各成形凹曲面９２，９３に本固定する前に、試し成形（仮成形）して、各装飾凹溝２〜５の溝深及び溝幅を測定する。
【００９１】
＜２＞第２実施形態のカップ成形金型
【００９２】
以下、第２実施形態のカップ成形金型について、図３０乃至図４０を参照して説明する。
【００９３】
図３９及び図４０において、第２実施形態のカップ成形金型Ｎは、各衣類用カップＹ１，Ｙ２（第２実施形態の衣類用カップ）を成形する。
【００９４】
図３０乃至図３８において、第２実施形態のカップ成形金型Ｎ（以下、「カップ成形金型Ｎ」という）は、雌金型８１、複数本の成形突条８２，８３，８４，８５及び雄金型８６を備える。
【００９５】
雌金型８１は、図３０乃至図３３に示すように、雌金型ブロック９１、左右一対の成形凹曲面９２，９３、周縁曲線９４及び複数本の位置決め線９５，９６，９７，９８を有する。各成形凹曲面９２，９３は、雌金型ブロック９１に左右並列して配置される。
【００９６】
成形凹曲面９２は、衣類用カップＹ１において、カップ本体２１の表側凸曲面３９を形成する。成形凹曲面９２は、衣類用カップＹ１において、椀状の表側凸曲面３９に倣った椀状に形成される。
【００９７】
成形凹曲面９３は、衣類用カップＹ２において、カップ本体２１の表側凸曲面３９を形成する。成形凹曲面９３は、衣類用カップＹ２において、椀状の表側凸曲面３９に倣った椀状に形成される。
【００９８】
雌金型８１において、周縁曲線９４は、図３０乃至図３３に示すように、各成形凹曲面９２，９３に描かれ、各成形凹曲面９２，９３の外周縁（カップ周縁３１）を構成する。各周縁曲線９４は、カップ周縁３１と同一の図形曲線（板屋貝の貝殻を模した貝殻周縁）であって、下端曲線９４ａ、上端曲線９４ｂ、脇端曲線９４ｃ及び連結端曲線９４ｄでなる。
下端曲線９４ａは、カップ周縁３１の下端縁３１ａと同一の曲線であり、上端曲線９４ｂは上端縁３１ｂと同一の波曲線である。脇端曲線９４ｃは、脇端縁３１ｃと同一の曲線であり、連結端曲線９４ｄは連結端縁３１ｄと同一の曲線である。
各周縁曲線９４は、例えば、ケガキにて各成形凹曲面９２，９３に、浅く細い溝として描かれる。
【００９９】
各成形凹曲面９２，９３は、各周縁曲面９４の上端曲線９４ｂ（波曲線）を対峙して、雌金型ブロック９１の左右に形成される。
【０１００】
複数本の位置決め線９５〜９８は、図３０及び図３３に示すように、各成形凹曲面９２，９３に描かれる。各位置決め曲線９５〜９８は、下端曲線９４ａ及び上端曲線９４ｂ間に描かれる。
位置決め曲線９５は、装飾凹溝２２を形成する位置（範囲）において、各成形凹曲面９２，９３に沿った曲線に描かれる。位置決め曲線９６は、装飾凹溝２３を形成する位置（範囲）において、各成形凹曲面９２，９３に沿った曲線に描かれる。
位置決め曲線９７は、装飾凹溝２４を形成する位置（範囲）において、各成形凹曲面９２，９３に沿った曲線に描かれる。位置決め線９８は、装飾凹溝２５を形成する位置（範囲）おいて、各成形凹曲面９２，９３に沿った曲線に描かれる。
各位置決め線９５〜９８は、例えば、ケガキにて各成形凹曲面９２，９３に、浅く細い溝として描かれる。
【０１０１】
複数本の成形突条８２〜８５は、各装飾凹溝２２〜２５を形成する。
【０１０２】
成形突条８２は、図３０乃至図３２、及び図３４（ａ）に示すように、装飾凹溝２２を形成する位置において、成形凹曲面９２，９３（表側凸曲面３９）に沿った湾曲状に形成される。成形突条８２は、成形凹曲面９２，９３に倣った突条裏曲面８２Ａ、及び表側凸曲面３９に沿った突条表曲面８２Ｂを有する。
成形突条８２は、突条トップ８２ａにて突条高ＬＡ及び突条幅ＷＡを有し、突条中間点８２ｂにて突条高ＬＢ及び突条幅ＷＢを有する、成形突条８２は、突条下端８２ｃ側及び突条上端８２ｄ側にて突条高ＬＣ及び突条幅ＷＣを有する。
突条トップ５２ａは、突条表曲面８２Ｂの頂点（最高点）であって、溝底面トップ２２ａに対応する。突条中間点８２ｂは、突条トップ８２ａ及び突条下端８２ｃ間の中間点であって、溝底面２２Ａの中間点２２ｂ（バスト保形部分）に対応する。突条下端８２ｃ側及び突条上端８２ｄ側は、装飾凹溝２２の下端縁３１ａ側及び上端縁３１ｂ側に対応する。
成形突条８２において、突条高は、例えば、突条高ＬＢ＞突条高ＬＡ＞突条高ＬＣの関係である。突条高は、突条トップ８２ａから突条下端８２ｃ及び突条上端８２ｄに向って、漸次変化される。突条高は、突条中間点８２ｂで高く、突条下端８２ｃ側及び突条上端８２ｄ側で低くなる。また、突条高は、カップ本体２１において、カップ厚（ウレタン厚）の肉厚部分２１ｂで高くし、及びカップ厚（ウレタン厚）の肉薄部分で低くする。
成形突条８２において、突条幅は、例えば、突条幅ＷＢ＞突条幅ＷＡ＞突条幅ＷＣの関係である。突条幅は、突条トップ８２ａから突条下端８２ｃ及び突条上端８２ｃに向って、漸次変化される。突条幅は、突条中間点８２ｂで広く、突条下端８２ｃ側及び突条上端８２ｄ側で狭くなる。また、突条幅は、カップ本体２１において、カップ厚（ウレタン厚）の肉厚部分２１ｂで広くし、及びカップ厚（ウレタン厚）の肉薄部分で狭くする。
【０１０３】
成形突条８３は、図３０乃至図３２、及び図３４（ｂ）に示すように、装飾凹溝２３を形成する位置において、成形凹曲面９２，９３（表側凸曲面３９）に沿った湾曲状に形成される。成形突条８３は、成形凹曲面９２，９３に倣った突条裏曲面８３Ａ、及び表側凸曲面３９に沿った突条表曲面８３Ｂを有する。
成形突条８３は、突条トップ８３ａにて突条高ＬＤ及び突条幅ＷＤを有し、突条中間点８３ｂにて突条高ＬＥ及び突条幅ＬＥを有する。成形突条８３は、突条下端８３ｃ側及び突条上端８３ｄ側にて突条高ＬＦ及び突条幅ＷＦを有する。
突条トップ５３ａは、突条表曲面５３Ｂの頂点（最高点）であって、溝底面トップ２３ａに対応する。突条中間点５３ｂは、突条トップ８３ａ及び突条下端８３ｃ間の中間点であって、溝底面２３Ａの中間点２３ｂに対応する。突条下端８３ｃ側及び突条上端８３ｄ側は、装飾凹溝２３の下端縁３１ａ側及び上端縁３１ｂ側に対応する。
成形突条８３において、突条高は、例えば、突条高ＬＥ＞突条高ＬＤ＞突条高ＬＦの関係である。突条高は、突条トップ８３ａから突条上端８３ｃ及び突条上端８３ｄに向って、漸次変化される。突条高は、突条中間点８３ｂで高く、突条下端８３ｃ側及び突条下端８３ｄ側で低くなる。また、突条高は、カップ本体２１において、カップ厚（ウレタン厚）の肉厚部分２１ｂで高くし、及びカップ厚（ウレタン厚）の肉薄部分で低くする。
成形突条８３において、突条幅は、突条幅ＷＥ＞突条幅ＷＤ＞突条幅ＷＦの関係である。突条幅は、突条トップ８３ａから突条下端８３ｃ及び突条上端８３ｄに向って、漸次変化される。突条幅は、突条中間点８３ｂで広く、突条下端８３ｃ側及び突条上端８３ｄ側で狭くなる。また、突条幅は、カップ本体２１において、カップ厚（ウレタン厚）の肉厚部分２１ｂで広くし、及びカップ厚（ウレタン厚）の肉薄部分で狭くする。
【０１０４】
成形突条８４は、図３０乃至図３２、及び図３５（ａ）に示すように、装飾凹溝２４を形成する位置において、成形凹曲面９２，９３（表側凸曲面３９）に沿った湾曲状に形成される。成形突条８４は、成形凹曲面９２，９３に倣った突条裏曲面８４Ａ、及び表側凸曲面３９に沿った突条表曲面８４Ｂを有する。
成形突条８４は、突条トップ８４ａにて突条高ＬＧ及び突条幅ＷＧを有し、突条下端８４ｃ側及び突条上端８４ｄ側にて突条高ＬＨ及び突条幅ＷＨを有する。
突条トップ８４ａは、突条表曲面８４Ｂの頂点（最高点）であって、溝底面トップ２４ａに対応する。突条下端８４ｃ側及び突条上端８４ｄ側は、装飾凹溝２４の下端縁３１ａ側及び上端縁３１ｂ側に対応する。
成形突条８４において、突条高は、例えば、突条高ＬＧ＞突条高ＬＨの関係である。突条高は、突条トップ８４ａから突条下端８４ｃ及び突条上端８４ｄに向って、漸次変化される。突条高は、突条トップ８４ａで高く、突条下端８３ｃ側及び突条上端８３ｄ側で低くなる。また、突条高は、カップ本体２１において、カップ厚（ウレタン厚）の肉厚部分２１ｂで高くし、及びカップ厚（ウレタン厚）の肉薄部分で低くする。
成形突条８４において、突条幅は、例えば、突条幅ＷＧ＞突条幅ＷＨの関係である。突条幅は、突条トップ８４ａから突条下端８３ｃ及び突条上端８３ｄに向って、漸次変化される。突条幅は、突条中間点８３ｂで広く、突条下端８４ｃ側及び突条上端８４ｄ側で狭くなる。また、突条幅は、カップ本体２１において、カップ厚（ウレタン厚）の肉厚部分２１ｂで広くし、及びカップ厚（ウレタン厚）の肉薄部分で狭くする。
【０１０５】
成形突条８５は、図３０乃至図３２、及び図３５（ｂ）に示すように、装飾凹溝２５を形成する位置において、成形凹曲面９２，９３（表側凸曲面３９）に沿った湾曲状に形成される。成形突条８５は、成形凹曲面９２，９３に倣った突条裏曲面８５Ａ、及び表側凸曲面３９に沿った突条表曲面８５Ｂを有する。
成形突条８５は、突条トップ８５ａにて突条高ＬＩ及び突条幅ＷＩを有し、突条下端８５ｃ側及び突条上端８５ｄ側にて突条高ＬＪ及び突条幅ＷＪを有する。
突条トップ８５ａは、突条表曲面８５Ｂの頂点（最高点）であって、溝底面トップ２５ａに対応する。突条下端８５ｃ側及び突条上端８５ｄ側は、装飾凹溝２５の下端縁３１ａ側及び上端縁３１ｂ側に対応する。
成形突条８５において、突条高は、例えば、突条高ＬＩ＞突条高ＬＪの関係である。突条高は、突条トップ８５ａから突条下端８５ｃ及び突条上端８５ｄに向って、漸次変化される。突条高は、突条トップ８５ａで高く、突条下端８５ｃ側及び突条上端８５ｄ側で低くなる。また、突条高は、カップ本体２１において、カップ厚（ウレタン厚）の肉厚部分２１ｂで高くし、及びカップ厚（ウレタン厚）の肉薄部分で低くする。
成形突条８５において、突条幅は、例えば、突条幅ＷＩ＞突条幅ＷＪの関係である。突条幅は、突条トップ８５ａから突条下端８５ｃ及び突条上端８５ｄに向って、漸次変化される。突条幅は、突条中間点８５ｂで広く、突条下端８５ｃ側及び突条上端８５ｄ側で狭くなる。また、突条幅は、カップ本体２１において、カップ厚（ウレタン厚）の肉厚部分２１ｂで広くし、及びカップ厚（ウレタン厚）の肉薄部分で狭くする。
【０１０６】
各成形突条８２は、図３０乃至図３２に示すように、突条裏曲面８２Ｂを成形凹曲面９２，９３に当接しつつ、位置決め線９５に沿って配置される。各成形突条８２は、突条下端８２ｃを下端曲線９４ａに向けて配置される。
これにより、各成形突条８２は、各成形凹曲線９２，９３から突出され、各成形凹曲面９２，９３内側に突条表曲面８２Ｂを配置する。
また、各成形突条８２は、各成形凹曲面９２，９３に対して、装飾凹溝２２を形成する位置（範囲）に配置される。
【０１０７】
各成形突条８３は、図３０乃至図３２に示すように、突条裏曲面８３Ｂを成形凹曲線９２，９３に当接しつつ、位置決め線９６に沿って配置される。各成形突条８３は、突条下端８３ｃを下端曲線９４ａに向けて配置される。
これにより、各成形突条８３は、各成形凹曲面９２，９３から突出され、各成形凹曲面９２，９３内側に突条表曲面８３Ｂを配置する。
また、各成形突条８３は、各成形凹曲面９２，９３に対して、装飾凹溝２３を形成する位置（範囲）に配置される。
【０１０８】
各成形突条８４は、図３０乃至図３２に示すように、各突条裏曲面８４Ｂを成形凹曲面９２，９３に当接しつつ、位置決め線９７に沿って配置される。各成形突条８４は、突条下端８４ｃを下端曲面９４ａに向けて配置される。
これにより、各成形突条８４は、各成形凹曲面９２，９３から突出され、各成形凹曲面９２，９３内側に突条表曲面８３Ｂを配置する。
また、各成形突条８４は、各成形凹曲面９２，９３に対して、装飾凹溝２４を形成する位置（範囲）に配置される。
【０１０９】
各成形突条８５は、図３０乃至図３２に示すように、各突条裏曲面８５Ｂを成形凹曲面９２，９３に当接しつつ、位置決め線９８に沿って配置される。各成形突条８５は、突条下端８５ｃを下端曲面９４ａに向けて配置される。
これにより、各成形突条８５は、各成形凹曲面９２，９３から突出され、各成形凹曲面９２，９３内側に突条表曲面８５Ｂを配置する。
また、各成形突条８５は、各成形凹曲面９２，９３に対して、装飾凹溝２５を形成する位置（範囲）に配置される。
【０１１０】
各成形突条８２〜８５は、図３０に示すように、例えば、複数ヶ所（４ヶ所）のロウ付け（仮ロウ付け）９９にて、各成形凹曲面９２，９３に取外し自在として固定（仮固定）される。各ロウ付け９９は、各成形突条８２〜８５の突条裏曲面８２Ａ〜８５Ａ側を各成形凹曲面９２，９３に固定（仮固定）する。各成形突条８２〜８５は、各ロウ付け（仮ロウ付け）９９を取り除くことで、各成形凹曲面９２，９３から取外せる。
【０１１１】
カップ成形金型Ｎにおいて、雄金型８６は、図３６乃至図３８に示すように、雄金型ブロック１０１、及び左右一対の成形凸曲面１０２，１０３、及び周縁曲線１０４を有する。各成形凸曲面１０２，１０３は、雄金型ブロック１０１に左右並列して配置される。
【０１１２】
成形凸曲面１０２は、衣類用カップＹ１（左側・衣類用カップ）において、カップ本体２１の肌側凹曲面４０を形成する。
成形凸曲面１０２は、衣類用カップＹ１（左側・衣類用カップ）において、椀状の肌側凹曲面４０に倣った椀状に形成され、バスト保形部分２１ｂを形成する凹曲面部分１０２Ａを有する。
【０１１３】
成形凸曲面１０３は、衣類用カップＹ２（右側、衣類用カップ）において、カップ本体２１の肌側凹曲面４０を形成する。
成形凸曲面１０２は、衣類用カップＹ２（右側・衣類用カップ）において、椀状の肌側凹曲線４０に倣った椀状に形成され、バスト保形部分２１ｂを形成する凹曲面部分１０３Ａを有する。
【０１１４】
雄金型８６において、周縁曲線１０４は、図３６及び図３７に示すように、各成形凸曲面１０２，１０３に描かれ、各成形凹曲面１０２，１０３の外周縁（カップ周縁３１）を構成する。各周縁曲線１０４は、カップ周縁３１と同一の図形曲線であって、下端曲線１０４ａ、上端曲線１０４ｂ、脇端曲線１０４ｃ及び連結端曲線１０４ｄでなる。
下端曲線１０４ａは、カップ周縁３１の下端縁３１ａと同一の曲線であり、上端曲線１０４ｂは、上端縁３１ｂと同一の波曲線である。脇端曲線１０４ｃは、脇端縁３１ｃと同一の曲線であり、連結端曲線１０４ｄは連結縁３１ｄと同一の曲線である。
各周縁曲線１０４は、例えば、ケガキにて各成形凸曲面１０２，１０３に、浅く細い溝として描かれる。
【０１１５】
各成形凸曲面１０２，１０３は、周縁曲線１０４の上端曲線１０４ｂを対峙して、雄金型ブロック１０１の左右に形成される。各成形凸曲面１０２，１０３は、凹曲面部分１０２Ａ，１０３Ａを下端曲線１０４ａ側に配置する。
【０１１６】
次に、衣類用カップＹ１，Ｙ２の成形について、図３９及び図４０を参照して説明する。
【０１１７】
図３９（ａ）において、発泡ウレタンフォームＦ２、表生地７及び肌生地８を用意する。発泡ウレタンフォームＦ２は、基礎ウレタンフォームＦＡ、及び左右一対の下厚ウレタンフォームＦＢでなる。基礎ウレタンフォームＦＡは、ウレタン厚ＴＷの平板である。各下厚ウレタンフォームＦＢは、ウレタン厚ＴＸの平板である。基礎ウレタンフォームＦＡ及び下厚ウレタンフォームＦＢのウレタン厚（ＴＷ＋ＴＸ）は、バスト保形部分２１ｂのカップ厚（ウレタン厚）より多少厚くする。
各下厚ウレタンフォームＦＢは、基礎ウレタンフォームＦＡの裏面において、左右側に夫々配置される。基礎ウレタンフォームＦＡは、各下厚ウレタンフォームＦＢ上に積載する。
表生地７は、発泡ウレタンフォームＦ２の表面Ｆ２Ａ（基礎ウレタンフォームＦＡの表面）を被覆して、熱可塑性接着剤にて発泡ウレタンＦ２（基礎ウレタンフォームＦＡ）に接着される。
肌基地８は、発泡ウレタンフォームＦ２の裏面Ｆ２Ｂ（基礎ウレタンフォームＦＡの裏面及び各下厚ウレタンフォームＦＢの裏面）を被覆して、熱可塑性接着剤にて発泡ウレタンフォームＦ２（基礎ウレタンフォームＦＡ及び下厚ウレタンフォームＦＢ）に接着される。
これにより、肌生地８、各下厚ウレタンフォームＦＢ、基礎ウレタンフォームＦＡ及び表生地７の順に積載して一体にした、被成形平板ＩＮ２を製作する。
【０１１８】
カップ成形金型Ｎにおいて、雌金型８１及び雄金型１０１は、図３９（ａ）に示すように、成形凹曲面９２及び成形凸曲面１０２同士を対峙し、成形凹曲面９３及び成形凸曲面１０３同士を対峙して配置する。カップ成形金型Ｎは、雌金型８１及び雄金型１０１間に間隔を隔てて、各金型８１，１０１を配置する。雌金型８１及び雄金型１０１は、成形温度に加熱される。
被成形平板ＩＮ２は、雌金型８１及び雄金型１０１間に配置される。被成形平板ＩＮ２において、表生地７は、各成形凹曲面９２，９３及び各成形突条８２〜８５に向けられ、及び肌生地８は、各成形凸曲面１０２，１０３に向けられる。各下厚ウレタンフォームＦＢは、各凹曲面部分１０２Ａ，１０３Ａに対峙して配置される。
【０１１９】
続いて、雌金型８１及び雄金型１０１を相対移動して、成形凹曲面９２及び成形凸曲面１０２にて被成形平板ＩＮ２を挟み、及び成形凹曲面９３及び成形凸曲面１０３にて被成形平板ＩＮ２を挟む［図３９（ｂ）参照］。
カップ成形金型Ｎは、雌金型８１及び雄金型１０１にて、被成形平板ＩＮ２を加熱しつつ、各成形凹曲線９２，９３及び各成形凸曲面１０２，１０３に圧接する。
これにより、被成形平板ＩＮ２において、表生地７、発泡ウレタンフォームＦ２及び肌生地８は熱溶着にて一体とされ、及び被成形平板ＩＮ２は、図３９（ｂ）及び図４０に示すように、表生地７、発泡ウレタンフォームＩＮ２及び肌生地８を椀状に膨出して、衣類用カップＹ１，Ｙ２（カップ本体２１）の表側凸曲面３９及び肌側凹曲面４０に成形される。
このとき、各成形突条８２〜８５は、衣類用カップＹ１，Ｙ２のカップ本体２１において、表生地７及び発泡ウレタンフォームＦ２（基礎ウレタンフォームＦＡ）を肌生地８側に圧縮し、及び凹ませて、各装飾凹溝２２〜２５を表側凸曲面３９に形成する（図４０参照）。
また、各周縁曲線９４，１０４（ケガキ）にて、各衣類用カップＹ１，Ｙ２のカップ周縁３１に対応する周縁曲線１０５を被成形平板ＩＮ２に形成する。
【０１２０】
続いて、被成形平板ＩＮ２を雌金型８１及び雄金型８６間から取出し、被成形平板ＩＮ２に成形したカップ本体２１について、各装飾凹溝２２〜２５の溝深及び溝幅を測定する。
各装飾凹溝２２〜２５において、測定した溝深及び溝幅が、所望の溝深及び溝幅（設計の溝深及び溝幅）であると、各成形突条８２〜８５を各成形凹曲面９２，９３に本固定する。
本固定は、各成形突条８２〜８５の突条裏曲面８２Ａ〜８５Ａ側の全体を各成形凹曲面９２，９３にロウ付けして実施する。
【０１２１】
一方、各装飾凹溝２２〜２５について、測定した溝深及び溝幅が、所望の溝深及び溝幅でないと、各ロウ付け９９を取除いて、各成形突条８２〜８５を各成形凹曲面９２，９３から取外す。
溝深及び溝幅の測定結果に基づいて、各成形突条８２〜８５の突条高及び突条幅を調整する。
突条高及び突条幅の調整は、測定した溝深及び溝幅が、所望の溝深より深く、所望の溝幅より広いときは、各成形突条８２〜８５を研削等して調整する。測定した溝深及び溝幅が、所望の溝深より浅く、所望の溝幅より狭いときは、別途用意する各成形突条８２〜８５にて調整する。
続いて、調整した各成形突条８２〜８５を各位置決め線９５〜９８に沿って配置し、及び複数ヶ所のロウ付け９９にて各成形凹曲面９２，９３に固定（仮固定）する。
続いて、再度、図３９及び図４０で説明したと同様、調整した各成形突条８２〜８５を用いて被成形平板ＩＮ２を成形する。
このように、成形後のカップ本体２１に対し、各装飾凹溝２２〜２５の溝深及び溝幅が、所望の溝深及び溝幅（設計の溝深及び溝幅）になるまで、各成形突条８２〜８５の突条高及び突条幅の調整、及びカップ本体２２の成形を繰返す。
【０１２２】
所望の溝深及び溝幅を得ると、被成形平板ＩＮ２において、各カップ本体２１の各周縁曲線１０５に沿って切断することで、衣類用カップＹ１，Ｙ２（カップ本体２１）とする（図１０及び図１４参照）。
【０１２３】
第２実施形態のカップ成形金型Ｎでは、成形する衣類用カップＹ１，Ｙ２において、カップ厚（ウレタン厚）に応じて、各成形突条８２〜８５に作用する反発力（発泡ウレタンからの反発力）は相異する。このことから、各成形突条８２〜８５は、突条高及び突条幅を漸次変化し、カップ厚（ウレタン厚）の肉厚部分で突条高を高く、及び突条幅を広くし、カップ厚（ウレタン厚）の肉薄部分で突条高を低く、及び突条幅を狭くしている。
成形突条８２〜８５を各成形凹曲面９２，９３に本固定する前に、試し成形（仮成形）して、各装飾凹溝２２〜２５の溝深及び溝幅を測定する。
【０１２４】
第１及び第２実施形態のカップ成形金型Ｍ，Ｎでは、各成形凹曲面６２，６３（又は９２，９３）に対して、各成形突条５２〜５５（又は８２〜８５）の配置する位置を変更することで、例えば、ハート形、星型等の立体的な凹凸模様をカップ本体１（又は２１）の表側凸曲面９（又は３９）に形成できる。
【産業上の利用可能性】
【０１２５】
本考案は、衣類に支持され、バスト（乳房）を覆う衣類用カップに最適である。
【符号の説明】
【０１２６】
Ｘ１，Ｘ２  衣類用カップ
Ｚ１  ブラジャー（衣類）
１  カップ本体
２〜５  装飾凹溝
６  発泡ウレタン
７  表生地
８  肌生地
９  表側凸曲面
１０  肌側凹曲面
１１  カップ周縁
【図１】
0003200051.tif 000003
【図２】
0003200051.tif 000004
【図３】
0003200051.tif 000005
【図４】
0003200051.tif 000006
【図５】
0003200051.tif 000007
【図６】
0003200051.tif 000008
【図７】
0003200051.tif 000009
【図８】
0003200051.tif 000010
【図９】
0003200051.tif 000011
【図１０】
0003200051.tif 000012
【図１１】
0003200051.tif 000013
【図１２】
0003200051.tif 000014
【図１３】
0003200051.tif 000015
【図１４】
0003200051.tif 000016
【図１５】
0003200051.tif 000017
【図１６】
0003200051.tif 000018
【図１７】
0003200051.tif 000019
【図１８】
0003200051.tif 000020
【図１９】
0003200051.tif 000021
【図２０】
0003200051.tif 000022
【図２１】
0003200051.tif 000023
【図２２】
0003200051.tif 000024
【図２３】
0003200051.tif 000025
【図２４】
0003200051.tif 000026
【図２５】
0003200051.tif 000027
【図２６】
0003200051.tif 000028
【図２７】
0003200051.tif 000029
【図２８】
0003200051.tif 000030
【図２９】
0003200051.tif 000031
【図３０】
0003200051.tif 000032
【図３１】
0003200051.tif 000033
【図３２】
0003200051.tif 000034
【図３３】
0003200051.tif 000035
【図３４】
0003200051.tif 000036
【図３５】
0003200051.tif 000037
【図３６】
0003200051.tif 000038
【図３７】
0003200051.tif 000039
【図３８】
0003200051.tif 000040
【図３９】
0003200051.tif 000041
【図４０】
0003200051.tif 000042